(57)【要約】【課題】  本発明は、反復利用が可能であるとともに、外灯や電柱などを垂直に且つ高精度で立設できる建柱用垂直補助具を提供することにある。【解決手段】  掘削穴Ｈの穴底に立てた柱４の外周部を囲むほぼリング状をなす柱支持部材１と、柱支持部材１のリングに沿って間隔をあけた少なくとも三箇所以上に取り付けられる複数の脚材２とを備えており、柱支持部材１は、リングを分割形成し且つ各々が着脱自在な複数の柱支持部材構成部品１ａ，１ｂからなっており、脚材２は、長さ調節自在に形成してあるとともに、柱支持部材１を柱４の立設方向所定位置で地面Ｇから支持するように、各脚材２が柱支持部材１の下方外側に向けて開脚して取り付けてあることを特徴とする。【選択図】      図１
2011226132.tif 000002
【特許請求の範囲】
【請求項１】
掘削穴の穴底に立てた柱の外周部を囲むほぼリング状をなす柱支持部材と、柱支持部材のリングに沿って間隔をあけた少なくとも三箇所以上に取り付けられる複数の脚材とを備えており、柱支持部材は、リングを分割形成し且つ各々が着脱自在な複数の柱支持部材構成部品からなっており、脚材は、長さ調節自在に形成してあるとともに、柱支持部材を柱の立設方向所定位置で地面から支持するように、各脚材が柱支持部材の下方外側に向けて開脚して取り付けてあることを特徴とする建柱用垂直補助具。
【請求項２】
柱支持部材は、リングに沿って間隔をあけた少なくとも三箇所以上に押圧部を有しており、各押圧部は、リングの内周側に出没自在に形成してあることを特徴とする請求項１記載の建柱用垂直補助具。
【発明の詳細な説明】
【技術分野】
【０００１】
本発明は、外灯や電柱等の建柱作業の際に使用する建柱用垂直補助具に関するものである。
【背景技術】
【０００２】
外灯や電柱等を現場に立設するとき、地盤に設けた掘削穴に、柱を立てた状態に作業者が手で支えながらポール（柱）の下端部を落とし込んで穴底に置き、さらに、上記の掘削穴に生コンを流し込んでポールの下端部を埋設するとともに、できるだけ垂直に支持するものであった。そのときに、ポールの立設を補助した上で垂直を保つ手法として、従来は、ポールの外周部に複数の木材を縄や番線で括り付けてポールを垂直に立設させるものであったが、近年、施工の効率化を図るために、特開２００８−２８５８２８号公報に開示されるものがあった。これは、掘削穴に落とし込んだポールの下端部の周面に、脚材をほぼ水平な格子状に組む態様をなす建柱用垂直補助具を取り付け、さらに、各脚材の延伸方向の両端を掘削穴の穴内周側面に対し、所謂つっかい棒のように押し当ててポールを垂直に立設した状態で補助し、最終的に、ポールの下端部を落とし込んだ掘削穴の中に、上記の建柱用垂直補助具を取り付けたままで生コンを流し込んで養生するものであった。
【先行技術文献】
【特許文献】
【０００３】
【特許文献１】特開２００８−２８５８２８号公報
【発明の概要】
【発明が解決しようとする課題】
【０００４】
しかしながら、特開２００８−２８５８２８号公報に開示される建柱用垂直補助具にあっては、コンクリートの養生のときに、ポールの下端部と一緒に地中に埋設されることから、現場に立設されるすべてのポール毎に一つずつ必要となってコストが嵩む上、掘削穴の穴内周側面を使ってポールを支持するものであったから、ポールに対する取り付けに際しても手間がかかり、建柱作業の効率を著しく損ねてしまう問題点があった。
本発明は、上記課題を鑑みてなされたものであり、反復利用が可能であるとともに、外灯や電柱などを垂直に且つ高精度で立設できる建柱用垂直補助具を提供することにある。
【課題を解決するための手段】
【０００５】
本発明のうち請求項１記載の発明は、掘削穴の穴底に立てた柱の外周部を囲むほぼリング状をなす柱支持部材と、柱支持部材のリングに沿って間隔をあけた少なくとも三箇所以上に取り付けられる複数の脚材とを備えており、柱支持部材は、リングを分割形成し且つ各々が着脱自在な複数の柱支持部材構成部品からなっており、脚材は、長さ調節自在に形成してあるとともに、柱支持部材を柱の立設方向所定位置で地面から支持するように、各脚材が柱支持部材の下方外側に向けて開脚して取り付けてあることを特徴とする。
ここでリング状とは、柱の外周を囲む連続的な形状であればよく、円形、矩形、多角形などが含まれる。
【０００６】
本発明の請求項２記載の発明では、柱支持部材は、リングに沿って間隔をあけた少なくとも三箇所以上に押圧部を有しており、各押圧部は、リングの内周側に出没自在に形成してあることを特徴とする。
【発明の効果】
【０００７】
本発明のうち請求項１記載の発明によれば、柱外周部に分割形成された複数の柱支持部材構成部品を囲むように取り付けることで、柱支持部材が各脚材の支持により柱の立設方向の所定位置に位置して柱の立設を補助することから、建柱作業を容易且つ迅速に行える。また、本発明による建柱用垂直補助具は、地上で柱の垂直支持を補助することから、コンクリートの養生が完了した段階で柱支持部材を複数の柱支持部材構成部品に分割して柱から簡単に外すことができ、また、繰り返し使用することで、地中に埋設される垂直補助具に比べてコストが抑えられる。
【０００８】
本発明のうち請求項２記載の発明によれば、出没自在な各押圧部により、柱支持部材で囲む柱の外周部を各々押圧することで、各押圧部の出没の度合いを個々に調整して立設した柱を精度よく垂直状態で保つことができる。さらに、押圧部が柱支持部材のリングに沿って間隔をあけた三箇所以上の箇所に配置されることで、断面形状や径の異なる様々な柱に対応して使用することができる。
【図面の簡単な説明】
【０００９】
【図１】本実施による建柱用垂直補助具の使用状態を示す一部を簡略化した斜視図である。
【図２】（ａ）は、本実施による建柱用垂直補助具の使用前の状態を示す平面図であり、（ｂ）は、外灯ポールに取り付けた状態を示す一部を断面した平面図である。
【図３】本実施による建柱用垂直補助具の使用状態を示す一部を縦断面した側面図である。
【図４】本実施による建柱用垂直補助具の他の使用状態を示す一部を縦断面した側面図である。
【図５】本発明による建柱用垂直補助具の他の実施形態を示す一部を簡略化した斜視図である。
【発明を実施するための形態】
【００１０】
以下に、図面に基づいて本実施による建柱用垂直補助具の実施の形態を説明する。
本実施による建柱用垂直補助具は、図１のように、分割形成されたほぼリング状をなす柱支持部材１と、柱支持部材１に１２０°間隔で且つ各々が水平軸回りに回動自在に取り付けられる３本の脚材２とにより構成してある。そして、柱支持部材１のリングの内周に掘削穴Ｈの穴底に載置した外灯ポール（柱）を囲み、各脚材２により柱支持部材１を外灯ポール４の立設方向に沿った所定高さ（本実施のものでは１〜１．５ｍ程度）に位置させ、掘削穴Ｈに生コンを流し込んで養生する間、外灯ポール４の垂直を補助している。
尚、柱支持部材１による外灯ポール４を補助する位置の高さについては、外灯ポール４の長さや重量などで適宜変更される。
【００１１】
柱支持部材１が、図２（ａ）のように、平面視して半円弧状をなす二つの柱支持部材構成部品１ａ，１ｂが連結して全体がほぼリング状をなすものであり、一方および他方の柱支持部材構成部品１ａ，１ｂの両側の当接端部には挿通孔５が有するフランジ６が設けてあり、互いのフランジ６同士を当接して挿通孔５を一致させて蝶ネジ７で螺合することで、一方と他方の柱支持部材構成部品１ａ，１ｂを着脱自在に連結できるようになっている。また、一方および他方の各柱支持部材構成部品１ａ，１ｂには、円弧に沿って９０°間隔に各々二つ、計四つの押圧部８が設けてある。そして、押圧部８は、柱支持部材１の内周側と外周側とに出没自在なネジ部９と、ネジ部９における柱支持部材１内周側の端部に設けられる先端が扁平な押し部１０と、同じく、ネジ部９における柱支持部材１外周側の端部に設けられるハンドルグリップ部１１とからなっており、使用者が上記のハンドルグリップ部１１を握って一方側に回したときに、ネジ部９がネジ込まれて柱支持部材１の内周側に押し部１０が次第に入り込んでいくことで、押し部１０が外灯ポール４の外周壁面を押圧する。さらに、柱支持部材１における四箇所の各押圧部８の出没度合を各々調整することで、外灯ポール４が垂直になるように微調整することができ、外灯ポール４を精度よく垂直状態とすることができる。
【００１２】
脚材２は、柱支持部材１を構成する一方の柱支持部材構成部品１ａに一本、他方の柱支持部材構成部品１ｂに二本の計三本が各々軸部１６に水平軸回りで軸支してあり、一方と他方の柱支持部材構成部品１ａ，１ｂを連結したときに、三本の脚材２が１２０°間隔で配置される。また、脚材２は、パイプ状の周壁に調整孔（図示省略）が設けてある三本の脚材構成部品２ａ，２ｂ，２ｃを互いのパイプ孔に挿通してスライド自在に形成したものである。このうち、両側の脚材構成部品２ａ，２ｃの調整孔には、各々蝶ネジ１２が挿通してあり、この蝶ネジ１２を螺合すると、蝶ネジ１２の先端が中間に配置する脚材構成部品２ｂの外周部を押圧してスライド不能となることで、脚材２の長さを任意に調整できるようになる。また、脚材２の下端部には尖り部１３が設けてあるとともに、その近傍には足を乗せることのできるステップ１４が取り付けてあり、使用者がステップ１４を踏んで荷重を加えることにより、尖り部１３が地面Ｇに差し込まれることで、本実施による建柱用垂直補助具を安定して設置できる。
【００１３】
上記のように、本実施による建柱用垂直補助具を形成すると、図３のように、掘削穴Ｈの穴底に立てた状態で置いた外灯ポール４の外周面に対し、一方の柱支持部材構成部品１ａと他方の柱支持部材構成部品１ｂとを連結して柱支持部材１で外灯ポール４の外周を囲み、各々の脚材２を軸部１６で水平軸回しに回動して柱支持部材１から開脚させて下端を地面に置き、さらに、図２（ｂ）もあわせて参照すれば、四つの押圧部８の各々のハンドルグリップ部１１を適宜回して全ての押し部１０を外灯ポール４の外周部に当接させることで、掘削穴Ｈに生コンを流し込む前に外灯ポール４の立設を補助することができる。さらに、外灯ポール４の外周部にレベル（図示省略）を沿わせて垂直を確認しながら、四つの押圧部８の各々のハンドルグリップ部１１を回して押し部１０の出没の度合を調節することで、外灯ポール４を垂直な状態に精度よく立てることができる。そして、上記の状態で掘削穴Ｈに生コンを流し込んで養生することにより、外灯ポール４が垂直に立設される。
【００１４】
図４は、本実施による建柱用垂直補助具を、歩道（地面）Ｇに外灯ポール４を立設するときに使用した一例を示すものである。このような状況では、本実施による建柱用垂直補助具の三本ある脚材２のうち、歩道（地面）Ｇに載せる側の脚材２を短くして車道（地面）Ｇと歩道（地面）Ｇの段差に対応させている。また、図５に示す建柱用垂直補助具には、三本の脚材２を取り巻くようにネット１５が取り付けてあり、本実施による建柱用垂直補助具を外灯ポール４に取り付ける際、各脚材２が所定の角度以上開かないように補助するものである。
【００１５】
本発明による建柱用垂直補助具は、例えば、上記実施形態では押圧部８をネジ式に形成してあるが、柱支持部材１で囲んだ状態にある外灯ポール４の外周部に向けて押し部１０をラチェット式に段階的に出没するものや、あるいは、ダンパーなどで押し部１０を出没するものなど、押し部１０の出没の度合を段階的に調節できるとともに、調節位置で固定できる手段であればよい。また、押圧部８の数についても上記実施形態のものでは、外灯ポール４の断面形状が円形、矩形、あるいは多角形と様々なものに対応できるように、柱支持部材１の四箇所に有するものについて記載したが、断面ほぼ円形のもののみに対応するように柱支持部材１の三箇所に有するものであってもよいし、一般的な外灯ポール４よりも径の太いもの（例えば、電柱など）であれば、柱支持部材１の四箇所以上にあってもよい。
【符号の説明】
【００１６】
１  柱支持部材
１ａ  一方の柱支持部材構成部品（柱支持部材構成部品）
１ｂ  他方の柱支持部材構成部品（柱支持部材構成部品）
２  脚材
３  押圧部
４  外灯ポール（柱）
Ｇ  歩道、車道（地面）
【図１】
2011226132.tif 000003
【図２】
2011226132.tif 000004
【図３】
2011226132.tif 000005
【図４】
2011226132.tif 000006
【図５】
2011226132.tif 000007